(57)【要約】【課題】マイナスイオン発生量を減少することなく、しかも、所望のマイナス電位を得ることが可能であり、しかも安価で大量生産ができるマイナスイオン発生素材を提供する。【解決手段】マイナスイオンを発生する主成分がシリコンからなる液状シリコン２０にゲルマニウムのパウダー２１を混合し、これら液体を繊維体或いは樹脂等の素材に塗布または含浸させて固化し、塗布部２を形成する。液状シリコン２０によってマイナスイオンを発生させると共に、ゲルマニウムのパウダー２１からマイナス電位を発生させ、液状シリコンによるマイナスイオン効果とゲルマニウムパウダーによるマイナス電位効果の相乗効果を得る。【選択図】          図１
2004162223.tif 000002
【特許請求の範囲】
【請求項１】
マイナスイオンを発生する主成分がシリコンからなる液状シリコンにゲルマニウムのパウダーを混合し、これら液体を繊維体或いは樹脂等の素材に塗布または含浸させて固化したことを特徴としたマイナスイオン発生体。
【請求項２】
上記液状シリコンは速乾性アルコールタイプを含み、この液体シリコンにゲルマニウムのパウダーを０．３乃至３重量％を撹拌混合して上記素材にスプレーまたは印刷により塗布または含浸した請求項１に記載のマイナスイオン発生素材。
【請求項３】
上記素材は繊維体によって形成されたアンダーウエアからなり、このアンダーウエアの少なくとも体温によって上記塗布部が温度上昇する部位上記液状シリコンを塗布又は含浸させた請求項１に記載のマイナスイオン発生素材。
【発明の詳細な説明】
【０００１】
【産業上の利用分野】
人体に作用するマイナスイオンおよびマイナスの電荷を常時発生させ、人体に対して自然な治癒および健康増進のために使用されるマイナスイオン発生素材に関する。
【０００２】
【従来の技術】
人体に対する治療や健康維持のための手段としては、薬等を投与する手段の他につぼ療法等が知られている。また、自然な環境、特に、森林浴等により人体に自然界に存在するマイナスイオンを吸収させ、人体を活性化させることにより健康体に至らせることもしばしば行われていた。
【０００３】
このような健康維持方法のうち、つぼ療法は、必然的に長期間に及び、効果が見られるまでには数回から数百回の施工が必要であるが、会社の勤務時間や学校等での授業時間は施行できないために、場合によっては、効果が出ない短期間の間に断念することもしばしばあった。また、自分自身による指圧は指が疲労するため、所定の回数或いは時間まで継続できない問題点がある。また、森林浴も自然界の力を利用する意味において副作用が生じないことを含め、効果が高いとされているが、多忙な会社勤務の人には適当な手段ではなく、しかも、森林のある遠隔地まで出向かなければならず、多くの時間と費用が必要となる等の問題点があった。
【０００４】
近年マイナスイオンによる効果が確認され、衣料品、ヘアドライヤー、或いはエアコン等の各方面でマイナスイオンを発生させ、個々に実績を出している。マイナスイオンは、体内の主として血液のイオンに作用し、血液等をマイナスイオン化させて活性化することが知られている。その一方で、一般に人間の身体は、痛み等の病的な異常が生ずると、皮膚の表皮側にプラス電位が誘起されることに着目し、この電位を正常なマイナス電位に戻す作用を行うものとして、ゲルマニウムを使用することが提案されている。（特開２０００−１６０４０２号公報）
【０００５】
上記公報に示された発明には、半導体用高純度ゲルマニウムにアンチモンを添加したＮ型ゲルマニウム結晶と、アルミニウムを添加したＰ型ゲルマニウム結晶を作製し、この結晶を８０ミクロン以下に粉砕し、塩ビ系透明樹脂塗料をシンナーに溶解し、Ｎ型ゲルマニウム粉及びＰ型ゲルマニウム粉を練り込んでペーストとした。このペーストをアンダーウエア等の衣料品に塗布することが示されている。
【０００６】
【特許文献１】
特開２０００−１６０４０２号公報
【０００７】
【発明が解決しようとする課題】
ゲルマニウム粉を練り込んだペーストを衣料品に塗布することにより、身体の不調個所を遠赤外線やマイナスイオン効果によって改善するとしている。しかしながら、ゲルマニウム粉を衣料品に塗布するために、塩ビ系透明樹脂塗料に練り込むことから、ゲルマニウム粉の含有率が低下する。この結果、マイナスイオンの発生量、および、マイナス電位値が低下するために、所望の効果が得られない問題が生ずる。また、塩ビ系透明樹脂塗料は工業用塗料であり、身体に直接接触する衣料品に使用することにより、使用者の体質によっては、かぶれ等の副作用が生ずることが避けられない。
【０００８】
そこで本発明は、マイナスイオン発生量を減少することなく、しかも、所望のマイナス電位を得ることが可能であり、しかも安価で大量生産ができるマイナスイオン発生素材を提供しようとするものである。
【０００９】
【課題を解決するための手段】
そこで本発明の請求項１に関わるマイナスイオン発生素材は、マイナスイオンを発生する主成分がシリコンからなる液状シリコンにゲルマニウムのパウダーを混合し、これら液体を繊維体或いは樹脂等の素材に塗布または含浸させて固化したことを特徴とする。
【００１０】
本発明の請求項２に関わるマイナスイオン発生素材は、上記液状シリコンは速乾性アルコールタイプを含み、この液体シリコンにゲルマニウムのパウダーを０．３乃至３重量％を撹拌混合して上記素材にスプレーまたは印刷により塗布または含浸したことを特徴とする。
【００１１】
本発明の請求項３に関わるマイナスイオン発生素材は、上記素材は繊維体によって形成されたアンダーウエアからなり、このアンダーウエアの少なくとも体温によって上記塗布部が温度上昇する部位に上記液状シリコンを塗布又は含浸させたことを特徴とする。
【００１２】
【作用】
主成分がシリコンからなる液状シリコンにゲルマニウムのパウダーを混合して塗布または含浸させて固化させた繊維体或いは樹脂等の素材からは、液状シリコンによって少なくとも５０ＮＳ／ｃｃのマイナスイオンが発生すると共に、ゲルマニウムのパウダーからマイナス電位が発生する。このとき、ゲルマニウムのパウダーは、摂氏３２度以上に暖められることによってマイナス電位が活性化することから、体温によって温度上昇させるように、アンダーウエアの肌に接触または温度上昇可能な部位に塗布することによって、身体の不調個所を改善する効果を高めることが可能となる。また、マイナスイオン発生素材の液状シリコンからは常時マイナスイオンが発生するので、体内の主として血液のイオンに作用して血液等をマイナスイオン化させて活性化する。この結果、森林浴による作用と同様に、人体を活性化させて新陳代謝を促し、治癒力を向上させると共に健康を増進させる一方美容効果をも増進させる。マイナスイオン発生素材は、液体シリコンにゲルマニウムのパウダーを混合させて繊維体、或いは樹脂等に塗布又は含浸させて固化する簡便な手段により形成でき、しかも大量生産が可能であり、安価に提供できる。
【００１３】
【発明の実施の形態】
以下、図面に基づいて本発明の実施の形態を詳細に説明する。図１は、本発明に関わるマイナスイオン発生素材の第１の実施例として、繊維体を織った織物に適用した例を示している。織物１は、木綿、麻などの植物繊維、ナイロン、テトロン等の合成繊維等からなり特に種類を問わない。このような織物１に対して、主成分がシリコンからなる液状シリコン２０にゲルマニウムのパウダー２１を混合して塗布すると共に含浸した後に固化させ、内部の隙間及び表面に塗布部２が形成されている。
【００１４】
ここで使用する液状シリコン２０は、主成分のシリコンに対して、適量のシロキサンやジメチルシロキサン、及び、メチルアルコール等の溶剤を含有させた一般的にはＲＴＶと呼ばれるものであり、速乾性を有している。従って、液状シリコン２０は比較的短時間に溶剤が揮発するので、短時間で固化させることができる。この液状シリコン２０にはゲルマニウムのパウダー２１を混合する。尚、液状シリコン２０には、他に微量不可避的添加材が含まれる。その他、液状シリコン２０に対して少量のシリカや、微量の抗菌材や香料を混合した素材を使用してもよい。
【００１５】
液状シリコン２０には、ゲルマニウムのパウダー２１を０．３乃至１重量％を混合し、ほぼ均一に分散するように撹拌する。ゲルマニウムパウダー２１の混合比率は、後述するように塗布及び含浸させる方法として、主としてスプレーによる塗布が可能な流度であり、しかも、身体に対して所定のゲルマニウムによる効果が得られるように設定される。即ち、液状シリコン２０に対してゲルマニウムパウダー２１を０．３重量％以下にした場合は、液状シリコン２０によるマイナスイオン効果は得られるものの、ゲルマニウムによる効果が希薄になり、身体の不調個所を改善できない。一方、ゲルマニウムのパウダー２１を１重量％以上混合した場合は、粘度が高くなるためにスプレーによる塗布が困難になる。更に、ゲルマニウムによる効果は混合比率を高めても比例的な上昇が得られないことが判明し、また、ゲルマニウムパウダー２１自体が高価であることから、ゲルマニウムによる効果が得られる必要最小限の比率としている。
【００１６】
そして、ゲルマニウムパウダー２１を混合した液状シリコン２０は、織物１に対して、１平方メートル当たり１０乃至５０ｇの適宜の量を塗布し、織物内部に含浸させることにより塗布部２を形成している。
【００１７】
図２は、織物１に対してゲルマニウムパウダー２１を混合した液状シリコン２０を塗布及び含浸させる方法を示している。即ち、織物１の一方側表面に対し、ノズル３から噴霧状の液状シリコン４を放出し、スプレー塗装的に塗布する。織物１に塗布された液状シリコン４は次第に浸透して織物内部に含浸する。このとき、織物１に塗布される液状シリコン４の量は、１平方メートル当たり１０乃至５０ｇとしている。因みに、１平方メートル当たり１０ｇ以下の場合は、後述するマイナスイオンの発生量が数十ＮＳ／ｃｃ以下となり、人体等への影響が小さくなる。また、１平方メートル当たり５０ｇ以上の場合は、液状シリコン４が織物１の表面にやや厚い膜を形成し、マイナスイオンの発生量は必要十分な量が確保されるものの、本来の織物１が有する風合いや感触が多少変化してしまう。ここで使用する液状シリコン４は、一般に知られる衣料用撥水剤と同様に、溶剤が気化することにより固化しても、十分な可撓性を有するため、織物１が有する性質を損なうものではない。
【００１８】
このようにして、ゲルマニウムパウダー２１を混合した液状シリコン２０が塗布及び含浸された織物１の塗布部２からはマイナスイオンが放射されている。このマイナスイオンの量は、温度が摂氏２０度、湿度３０％乃至５０％の環境において測定したところ、図４に示すように、少なくとも２５０ＮＳ／ｃｃ以上が発生している。この発生量は温度と湿度によっても発生量が多少変化し、温度と湿度が高くなるに従って発生量が増加する傾向がある。また、時間の経過によっても変化するが、これは被測定体の場所の環境変化によるものと推測される。尚、マイナスイオン発生量の測定方式は東大ＮＹ方式であり、測定機器は、神戸電波製ＫＳＴ−９００を使用した。一方、織物１の塗布部２は、温度が摂氏３２度になるとゲルマニウムパウダー２１によってマイナス電位が発生すると共に遠赤外線が放出される。
【００１９】
図３は、ゲルマニウムパウダーを混合した液状シリコンが塗布及び含浸された塗布部２を有するアンダーシャツ５を示している。このアンダーシャツ５の塗布部２からは、少なくとも２５０／ｃｃ以上ものマイナスイオンが発生し、皮膚を浸透して体内に注入される。また、塗布部２には、マイナス電位が発生している。このアンダーシャツ５を人が着用することにより、液状シリコン２０から発生するマイナスイオンによって、常に森林浴等を行っている状態と同じ状態にすることができる。因みに、比較的マイナスイオンが多いとされる長野県の軽井沢の森林におけるマイナスイオン量は、約２５０ＮＳ／ｃｃであり、上記アンダーシャツ５を着用することは、常に軽井沢において森林浴を行っている場合と等価な活性化効果が得られることを意味している。
【００２０】
また、アンダーシャツ５の塗布部２は、人が着用したときに体温によって摂氏３２度以上に暖められ、塗布部２に含まれるゲルマニウムパウダー２１がマイナス電位になる。塗布部２が身体の不調個所に対向すると、身体の痛み等の病的な異常が生ずる不調個所の皮膚の表皮側に誘起されたプラス電位が、ゲルマニウムパウダー２１のマイナス電位によって正常なマイナス電位に戻す作用を行い、不調個所の改善を行うことができる。更に、ゲルマニウムパウダー２１から放出される遠赤外線によって摂氏２乃至３度上昇させることから、温湿布効果によって身体の不調個所の改善を一層助長させることができる。
【００２１】
織物１としては、上記アンダーシャツ５の他、パンツ（ブリーフ、パンティーを含む）、ブラジャーや生理ショーツなどの女性用の各種のアンダーウエア、及び、靴下、マフラー、帽子などにも使用可能である。尚、パンツを含むアンダーウエアの場合は、その上に着用される衣料との摩擦が生ずることから、この摩擦によって液状シリコン２０から発生するマイナスイオンの発生量が加速されることが確認されている。
【００２２】
以上のように、塗布部２の液状シリコン２０から発生するマイナスイオンについて効果を医学的に考察すると、いわゆる疾患が発生する前兆としては、血液内の活性酸素が増大して酸性度が大きくなることがわかっている。そこで、上記アンダーシャツやパンツから発生するマイナスイオンを２５０ＮＳ／ｃｃ以上注入することにより、人体の血液に作用してマイナスイオン化し、この血液が体内を循環することにより、体内の血液がマイナスイオン化され、血液を弱アルカリ性に変化させる。このため、血液の循環が活発になり、疾患の原因である活性酸素が緩やかに燃焼することにより減少し、各種の疾患が穏やかに治癒されることになる。
【００２３】
一方、塗布部２に含まれるゲルマニウムパウダー２１は、身体に既に生じた痛み等の病的な不調個所に対し、マイナス電位を与えることにより正常なマイナス電位に戻されて不調個所が改善され、更に、遠赤外線効果によって身体の不調個所の改善を助長して治癒される。従って、ゲルマニウムパウダー２１を混合した液状シリコン２０は、マイナスイオン効果とマイナス電位効果及び遠赤外線効果が相乗して身体を健康体に導くことが可能となる。
【００２４】
以上、マイナスイオンを発生する素材について数例を詳述したが、液状シリコンには、マイナスイオンの発生量を多くするために、適量の粒径が０．５〜６ミクロンのマイナスイオンセラミックパウダーをゲルマニウムのパウダーと共に混合してもよい。このマイナスイオンセラミックパウダーは、身体から放出される水蒸気と反応して有益な微量放射線がマイナスイオンに変化する性質を有しているので、マイナスイオン発生量を大幅に増大することができる。また、ゲルマニウムのパウダーを混合した液状シリコンは、上記各種の衣料品の他に、電気毛布や電気敷布、電気カーペット等の発熱暖房器具を包囲するカバー等にも使用可能である。また、ゲルマニウムパウダーを混合した液状シリコンの塗布方法としては、スプレーによる方法の他、シルク印刷等の印刷に変更してもよく、このような印刷の方法であっても液状シリコンをベースとしているので塗布等が容易になるなど、本発明は用途や塗布方法を限定するものではないことは勿論である。
【００２５】
【発明の効果】
以上説明したマイナスイオン発生素材は、主成分がシリコンからなる液状シリコンにゲルマニウムのパウダーを混合して塗布または含浸させて固化させた繊維体或いは樹脂等の素材から、液状シリコンによってマイナスイオンを発生させると共に、ゲルマニウムのパウダーからマイナス電位を発生させるので、液状シリコンによるマイナスイオン効果と、ゲルマニウムパウダーによるマイナス電位効果の相乗効果を得ることができる。更に、ゲルマニウムパウダーから遠赤外線を放射するので身体の不調個所の改善を助長させることができる。また、ゲルマニウムのパウダーを液状シリコンに混合しているので、希釈されることなく両者の効果を有効に享受することが可能となる。更に、マイナスイオン発生素材は、液体シリコンにゲルマニウムのパウダーを混合させて繊維体、或いは樹脂等に塗布又は含浸させて固化する簡便な手段により形成でき、しかも大量生産が可能であり、安価に提供することができる。
【図面の簡単な説明】
【図１】本発明に関わる織物の一部を示す部分斜視図である。
【図２】素材に対するスプレー塗装の状態を示す説明図である。
【図３】本発明に関わる織物をアンダーシャツに使用した例を示す正面図である。
【図４】一般の織物におけるマイナスイオンの発生量の推移を示す特性図である。
【符号の説明】
１            織物
２            塗布部
３            ノズル
４            液体シリコン
５            アンダーシャツ
２０    液状シリコン
２１    ゲルマニウムパウダー
【図１】
2004162223.tif 000003
【図２】
2004162223.tif 000004
【図３】
2004162223.tif 000005
【図４】
2004162223.tif 000006